(57)【要約】【課題】爪用装飾品を係止する係止具であって、多様な装飾品を容易に着脱可能であり、さらに、従来と比べ爪表面からの突出を抑えた係止具を提供することを目的とする。【解決手段】爪４に装着する係止具１００であって、爪４に固定する固定部１１０と、固定部１１０を固定したときに装飾品を係止しうる係止空間１３０を形成する取付部１２０と、を備え、取付部１２０が爪４表面の縁辺外方向へと延出して形成されるよう、係止具１００を構成した。これにより、装飾品Ｊ０を容易に着脱できるだけでなく、嵌合形状に比べ係止し得る装飾品の種類も多様である。爪４表面の縁辺外方向へと延出しているため、装飾品Ｊ０の非装着時においても、引っ掛かりが抑えられ、日常生活の妨げとなりにくい。さらに、取付部が略垂直に突出する従来の係止構造を必要としないため、係止具の形状の多様性と、爪又は人工爪の装飾構造及び装飾方法の可能性が広がることに寄与している。【選択図】図１０
2019180811.tif 000002
【特許請求の範囲】
【請求項１】
爪又は人工爪に装着する係止具であって、
前記爪又は人工爪に固定する固定部と、
前記固定部を固定したときに装飾品を係止しうる係止空間を形成する取付部と、を備え
前記取付部が爪表面の縁辺外方向へと延出して形成されること、を特徴とする係止具。
【請求項２】
前記固定部が前記爪又は人工爪の形状に追随しうる変形容易な素材からなること、を特徴とする請求項１記載の係止具。
【請求項３】
前記取付部を複数有すること、を特徴とする請求項１又は２記載の係止具。
【請求項４】
前記固定部及び前記取付部が１の部材からなること、を特徴とする請求項１乃至３のいずれかに記載の係止具。
【請求項５】
前記固定部及び前記取付部が環状に形成されること、を特徴とする請求項４記載の係止具。
【請求項６】
爪又は人工爪に係止具を装着した爪装飾構造であって、
前記係止具は、前記爪又は人工爪に固定する固定部と、取付部と、を備え、
前記固定部を固定したときに前記取付部が爪表面の縁辺外方向へと延出することで、装飾品を係止しうる係止空間が形成されたこと、を特徴とする係止具を前記爪又は人工爪に装着した爪装飾構造。
【請求項７】
前記装飾品の一部が前記係止空間に挿通して、該装飾品を前記取付部に係止したことを特徴とする請求項６記載の爪装飾構造。
【請求項８】
係止具を装着して爪又は人工爪を装飾する方法において、
前記係止具は固定部と取付部と、からなり、
前記固定部を爪又は人工爪に固定する工程と、
前記取付部に装飾品を係止する工程と、を備え、
前記固定部を固定したときに前記取付部が爪表面の縁辺外方向へと延出することで、装飾品を係止しうる係止空間が形成され、
前記装飾品は、該装飾品の一部が前記係止空間に挿通されて、前記取付部に係止されること、を特徴とする係止具を装着する爪又は人工爪の装飾方法。
【発明の詳細な説明】
【技術分野】
【０００１】
本発明は、爪又は人工爪の装飾に関する技術であって、爪用装飾品の係止具、係止具を備えた爪装飾構造、及び爪の装飾方法に関するものである。
【背景技術】
【０００２】
従来、人の手指や足指の爪の装飾として、ネイルアートが知られている。近年では爪又は人工爪の爪表面に、光重合開始剤を含む合成樹脂溶剤を塗布し、ＵＶ−ＡもしくはＬＥＤライトを照射して、光重合反応により硬化させるジェルネイルなどが用いられている。ジェルネイルは合成樹脂溶剤を数層にわたって塗り重ねるために表面的装飾から立体的装飾まで装飾の幅が広く、宝石やリングといった装飾品も、爪又は人工爪に固定することが可能である。
【０００３】
一方、爪又は人工爪の装飾品は環境や状況によっては取り外さなければならない場合があり、そのため容易に着脱可能であることが望まれていた。
昨今では、爪表面に係合用凸部を有する土台を固定し、被係合部を設けた装飾品を着脱容易に装着する方法が知られている（特許文献１）。さらに、人工爪表面に固定させた留め具の雌部に、アートパーツ（装飾品）の底面に固定された留め具の雄部を嵌入させ、人工爪に着脱容易にアートパーツを取り付ける方法（特許文献２）などが提案されている。
【０００４】
しかしながら、前記技術では、爪表面側の嵌合部に嵌合させるために、装飾品側にも対となる被嵌合部を設け、固定させておく必要があった。そのため、固定の手間とコストがかかっていた。
さらに、前記技術では、爪表面に固定する嵌合部の形状が略凹型か略凸型であったため、装飾品側の被嵌合部も嵌合する形状に加工する必要があり、着脱可能な装飾品の種類が限られるといった問題があった。
【０００５】
一方で、装飾品を係止しうる環状の取付部を有する図１１の係止具１０９が知られており、爪表面にこの係止具の土台部１１９を固定し、土台部１１９に対して略垂直に固着した環状の取付部１２９に装飾品を係止する方法が用いられている。環状であるために係止が容易であり、対となる被係合部を装飾品側に固定させておく必要がなく、また、係止しうる装飾品の種類も前記技術に比べ多様である。この点において、前記技術の問題点を解決している。
【０００６】
しかしながら、この係止具１０９は取付部１２９が土台部１１９と略垂直であり、爪表面から突出している。これまで、多様な装飾品の係止に対応する係止具は、この係止具１０９に限らず、複数の部材からなり、構造上、爪に固定する土台部と装飾品を装着する取付部とが略垂直に固着されていることが多かった。つまり、爪から突出し、嵩張るため、特に装飾品の非装着時において、衣類などの繊維に引っ掛かることが知られており、日常生活の妨げとなっていた。
また、係止機能を発揮させるために、係止具の形状、材質、加工が制限されることも問題であった。
さらに、特許文献１又は２に記載の嵌合部及びこの係止具１０９は、嵌合や係止機能を有するものの、装飾を意識した形状ではなかった。係止具も爪表面に装着するのであるから、装飾品の非装着時においても、係止具自体が相応に美感を生じさせる形状、材質であることが望ましい。
【０００７】
そこで、着脱容易に多様な装飾品を係止しうる機能を有しつつ、爪表面から突出することも嵩張ることもない係止具が求められていた。また、係止具自体も多様性に富み、美感を生じさせるものであることが望まれていた。
【０００８】
上記問題点を踏まえて、爪に容易に取り付けることができ、さらに取り外して交換することもできる装飾品が考案された（特許文献３）。装飾品を係止するリングは、爪の表面と略平行に、すなわち爪を上方から見てリングが円形に見える方向に接着される。爪の湾曲によって生じる、リングの円周部と爪表面との間のギャップに、装飾品の留め具を係止し、留め具に装飾品を連結するという構成である。
【先行技術文献】
【特許文献】
【０００９】
【特許文献１】特開２００８−１６１７０８号公報
【特許文献２】特開２０１０−２００９５８号公報
【特許文献３】実用新案登録第３２１５０３９号
【発明の概要】
【発明が解決しようとする課題】
【００１０】
特許文献３の考案は着脱容易な装飾品に着目したものであり、係止具であるリングは特段の技術的特徴を具備するものではない。そのため、特許文献３の考案が提案する装飾品の係止手法、すなわちギャップにつけるという手法では、スムーズに装飾品を取り付け、あるいは取り外すことができなかった。
さらに、爪の湾曲を利用して生じたギャップに装飾品の留め具を取り付けると、リングの円周部に係止した留め具が爪に当たり、爪を傷つけることもあった。また、係止具であるリングを爪の表面と略平行に装着すると、リングが爪から浮くので、それを抑えるために、リングの上に重みのあるものを置いて固定する必要もあった。
このように、特許文献３の考案は、着脱容易に装飾品を係止するという点においては、改善の余地を残していた。
【００１１】
本発明は、かかる問題点を解決するために創案されたものである。すなわち、本発明の目的は、従来技術の問題点であった爪表面からの突出と嵩張りを抑え、着脱容易に装飾品を係止する構造を有し、多様な装飾品の係止に対応しうること、を満たした上で、装飾品の係止に耐えうる爪又は人工爪用装飾品係止具を提供することにある。さらに本発明では、この課題を解決する限りにおいて、係止具自体の装飾性、多様性をも許容する。
【課題を解決するための手段】
【００１２】
上記課題を解決するために、本願請求項１に記載の発明は以下の構成を有する。すなわち、
爪又は人工爪に装着する係止具であって、
前記爪又は人工爪に固定する固定部と、
前記固定部を固定したときに装飾品を係止しうる係止空間を形成する取付部と、を備え
前記取付部が爪表面の縁辺外方向へと延出して形成されること、を特徴とする係止具。
【００１３】
また、本願請求項２に記載の発明は以下の構成を有する。すなわち、
前記固定部が前記爪又は人工爪の形状に追随しうる変形容易な素材からなること、を特徴とする請求項１記載の係止具。
【００１４】
また、本願請求項３に記載の発明は以下の構成を有する。すなわち、
前記取付部を複数有すること、を特徴とする請求項１又は２記載の係止具。
【００１５】
また、本願請求項４に記載の発明は以下の構成を有する。すなわち、
前記固定部及び前記取付部が１の部材からなること、を特徴とする請求項１乃至３のいずれかに記載の係止具。
【００１６】
また、本願請求項５に記載の発明は以下の構成を有する。すなわち、
前記固定部及び前記取付部が環状に形成されること、を特徴とする請求項４記載の係止具。
【００１７】
また、本願請求項６に記載の発明は以下の構成を有する。すなわち、
爪又は人工爪に係止具を装着した爪装飾構造であって、
前記係止具は、前記爪又は人工爪に固定する固定部と、取付部と、を備え、
前記固定部を固定したときに前記取付部が爪表面の縁辺外方向へと延出することで、装飾品を係止しうる係止空間が形成されたこと、を特徴とする係止具を前記爪又は人工爪に装着した爪装飾構造。
【００１８】
また、本願請求項７に記載の発明は以下の構成を有する。すなわち、
前記装飾品の一部が前記係止空間に挿通して、該装飾品を前記取付部に係止したことを特徴とする請求項６記載の爪装飾構造。
【００１９】
また、本願請求項８に記載の発明は以下の構成を有する。すなわち、
係止具を装着して爪又は人工爪を装飾する方法において、
前記係止具は固定部と取付部と、からなり、
前記固定部を爪又は人工爪に固定する工程と、
前記取付部に装飾品を係止する工程と、を備え、
前記固定部を固定したときに前記取付部が爪表面の縁辺外方向へと延出することで、装飾品を係止しうる係止空間が形成され、
前記装飾品は、該装飾品の一部が前記係止空間に挿通されて、前記取付部に係止されること、を特徴とする係止具を装着する爪又は人工爪の装飾方法。
【発明の効果】
【００２０】
本発明の係止具は、着脱容易に装飾品を係止する構造を有しており、さらに凹凸の嵌合部を有する場合と比べて多様な装飾品の係止に対応しうる。
【００２１】
本発明の係止具は、係止機能を発揮させるために固定部と取付部を略垂直に固着させる構造を必要としないため、後述のように、爪表面の形状に追随するよう湾曲させる加工を施す場合であっても、従来の係止具と比べて嵩張ることがない。
【００２２】
本発明の係止具は、係止空間を形成する取付部が縁辺外方向へと延出するため、装飾品を係止した場合でも、従来の係止具と比べて、爪の傷つきを抑えることができる。
【００２３】
本発明の係止具は、係止機能を発揮させるために必要と考えられていた係止具の制限を緩和する。係止具自体の装飾性、多様性と、爪又は人工爪の装飾構造及び装飾方法の可能性が広がることに寄与している。
【図面の簡単な説明】
【００２４】
【図１】爪に係止具を装着した状態を示す平面図である。
【図２】爪に係止具を装着した状態を示す正面図である。
【図３】爪に係止具を装着した状態を示す模式図である。
【図４】爪に装着しうる係止具の例である。
【図５】爪に装着しうる係止具の例である。
【図６】爪に係止具を装着した状態を示す平面図である。
【図７】爪に装着しうる係止具の例である。
【図８】爪に装着しうる係止具の例である。
【図９】粘着剤を用いて爪に係止具を装着した状態を示す模式図である。
【図１０】爪に係止具を装着し、取付部に装飾品を係止した状態を示す平面図である。
【図１１】爪に従来用いられてきた係止具を装着した状態を示したものである。（ａ）は平面図であり、（ｂ）は側面図である。
【発明を実施するための形態】
【００２５】
以下、本発明の実施の形態の一例を図面を用いて説明する。
【００２６】
図１は、手指５の先端にある爪４に係止具１００を装着した状態を上方から見た平面図である。図２は、爪４に係止具１００を装着した状態を指先側から見た正面図である。図３は、爪４に係止具１００を装着した状態を示す本例の模式図である。
【００２７】
図１及び図２に示すとおり、係止具１００は、爪４表面に固定させる固定部１１０と、装飾品を係止しうる係止空間１３０を形成する取付部１２０と、からなる。
本例では、固定部１１０及び取付部１２０は１の部材からなるが、複数の部材を使用して製作してもよい。
【００２８】
固定部１１０は、爪４表面に固定する。本例では、図３に示すように、爪４の表面に３層からなる合成樹脂溶剤６０を塗布し、この合成樹脂溶剤６０を土台として係止具１００の固定部１１０を固定する。固定部１１０は合成樹脂溶剤６０とともに硬化させることによって、固定部１１０を固定させることもできる。
土台となる合成樹脂溶剤６０は、光重合開始剤を含み、筆などを用いて爪４表面に塗布する。そして塗布後に、ＵＶ−ＡもしくはＬＥＤライトを照射して光重合反応により硬化させる。図３に示す合成樹脂溶剤６０は、爪の保護及び発色を向上させるために塗布されるベースジェル６１、装飾色を決定するために塗布されるカラージェル６２、カラージェル６２の保護のために使用されるトップジェル６３の３層からなるが、装飾内容によっては、いずれかの層を塗らないこと、いずれかの層を何層にも塗り重ねることを妨げるものではない。本例では、固定部１１０をトップジェル６３層内に埋設するように配置し、トップジェル６３層とともに光重合反応により硬化させ固定させるが、固定方法はこれに限られるものではない。
【００２９】
取付部１２０は、爪４表面に固定部１１０を固定したときに、爪４表面の縁辺外方向へと延出し（つまり、爪４を上方から見たとき、爪４の外側に向かって張り出し）、装飾品を係止しうる係止空間１３０を形成する。
【００３０】
係止空間１３０は、爪４表面に固定部１１０を固定したときに、爪４外縁（外周）と取付部１２０によって形成される空間、又は爪４表面と取付部１２０によって形成される空間である。装飾品の一部がこの係止空間１３０に挿通されて、取付部１２０に係止される。
多様な装飾品の係止を可能にするために、固定部１１０が支持しうる範囲で、係止空間１３０を広く設けることが望ましい。
【００３１】
次に、本例を踏まえて、好ましい実施の形態について説明する。
【００３２】
本例にて使用する図４の係止具１００は、爪用装飾品としても使用される環状の装飾品を爪４表面の形状に追随するよう湾曲させたものである。
係止具１００は独自に製作することもできるし、固定部１１０と取付部１２０とを有し、前述の特徴を満たして装着するのであれば、本例のように爪用装飾品で代用することもできる。爪用装飾品は容易に入手可能であり、さらに本例で使用するような湾曲形状であれば工作器具などを用いて加工可能である。なお、本例にて係止空間１３０を形成するにあたっては、必ずしも既述した特許文献３の考案に示すような係止具１００と爪４表面との間のギャップは必要とせず、むしろ固定部１１０においては強度を高めるために爪４の表面の形状に追随するよう湾曲させることが好ましい。
【００３３】
係止具１００には爪用装飾品として用いられている材料、例えば、ニッケル、鉄、シルバー、樹脂、真鍮、銅、合金などが使用できるが、これらの材料に限定されるものではない。但し、固定部１１０を爪４表面に固定したときに、取付部１２０が装飾品を係止しうる強度を持つ材料であることが求められる。
【００３４】
なお、装飾品の非装着時において、係止具１００が目に留まることを避けるために、装飾品を係止しうる強度を有する略透明又は透明な材料を用いることが可能である。
【００３５】
係止具１００を塗装することは、いかなる色であっても許容しうる。
【００３６】
取付部１２０を支持する固定部１１０においては、強度を得るために固定面が爪４又は人工爪の表面に密着するものであることが望ましい。ゆえに、少なくとも固定部１１０は、爪４又は人工爪の形状に追随しうる変形容易な素材（例えば、鉄、樹脂、アルミ、合金など）であることが好ましい。
【００３７】
本例において使用する係止具１００は環状であるが、必ずしも環状である必要性はなく、爪４又は人工爪に固定する固定部１１０と、固定部１１０を固定したときに、爪４又は人工爪表面の縁辺外方向へと延出し、装飾品を係止しうる係止空間１３０を形成する取付部１２０と、を有すればよい。
係止具の例として、図５に示すように、装飾品を係止しうる開口部が設けられている係止具１０１がある。開口部のない部分（固定部）１１１を爪４表面に固定し、取付部１２１を爪４の縁辺外方向へと延出させ、図５に示す開口部を係止空間１３１とすることが可能である。
【００３８】
取付部１２０は１つでなくてもよい。装飾品を係止しうる係止空間１３０が複数形成されている係止具の例として、図６、図７がある。図６の係止具１０２は取付部１２２ａ及び１２２ｂを有し、それぞれの係止空間１３２ａ及び１３２ｂに装飾品の一部を挿通させ、装飾品を係止することが可能である。図７の係止具１０３の取付部１２３ａ乃至１２３ｄも同様である。なお、図４乃至図７は一例であり、これに限定されるものではない。
さらに、取付部１２０が装飾品を係止しうる係止空間１３０を形成するのであれば、図８の係止具１０４にあるように、取付部１２４の両端１１４ａ及び１１４ｂを固定部として、爪４又は人工爪に固定しても構わない。
【００３９】
本例では爪４に係止具１００を装着しているが、爪である必要はなく、人工爪でもよい。
【００４０】
爪４に固定部１１０を固定する方法として、本例では、トップジェル６３層の合成樹脂溶剤６０とともに硬化させ、爪４に固定する方法を用いている。固定部１１０を固定させるため、トップジェル６３には粘度の高い合成樹脂溶剤を用いることが好ましい。
図９に示すように、固定部１１０を固定する部位に粘着剤７を塗布することで、固定部１１０を固定してもよい。粘着剤７の候補としてエポキシ樹脂系接着剤が挙げられるが、これに限定されるものではない。
粘着剤７を用いて固定部１１０を固定する方法は、粘着剤７を塗布した上に固定部１１０を配置し、さらに固定部１１０の上に合成樹脂溶剤６０を塗布してともに硬化させ、固定を補強することを妨げるものではない。
また、合成樹脂溶剤６０及び粘着剤７のいずれの層も塗布せず、他の方法を用いて固定部１１０を固定させてもよい。本発明では、爪４又は人工爪に固定部１１０を固定させる方法については問わない。
【００４１】
図１０は係止具１００に装飾品Ｊ０を係止した状態を上方から見た平面図である。留め具Ｊ２と装飾部Ｊ１とを有する装飾品Ｊ０が取付部１２０に係止されている。
本発明の装飾品Ｊ０においては、取付部１２０に係止しうる留め具Ｊ２（例えば丸カン、カニカン、引き輪、紐など）を有していればよい。このような留め具Ｊ２は市場に広く流通しており、装飾部Ｊ１に予め留め具Ｊ２が装着された状態で装飾品Ｊ０が販売されていることも多い。仮に、装飾部Ｊ１に留め具Ｊ２がない場合であっても、このような留め具Ｊ２を利用した装着方法については広く知られていることから、比較的容易にその装着を行うことができる。
係止可能な構造を有する装飾品Ｊ０であれば、留め具Ｊ２を用いずに取付部１２０に係止しても構わない。
すなわち、係止しうる留め具Ｊ２又は係止可能な構造を有していれば、装飾品Ｊ０及び装飾部Ｊ１に制限はない。装飾品Ｊ０及び装飾部Ｊ１の一例として羽根、ビーズ、チェーン、プレート、ワイヤーなどがある。これらをさらに留め具Ｊ２で連ねてもよいし、１つの取付部１２０に複数の装飾品Ｊ０を係止してもよい。さらに、チェーンやワイヤーを用いて、指の装飾品や手首の装飾品、首の装飾品などを取付部１２０に係止することで、多様な装飾を楽しむことも可能である。
【産業上の利用可能性】
【００４２】
本発明は、爪用装飾品の係止具、係止具を備えた爪装飾構造、及び爪の装飾方法に利用可能である。
【符号の説明】
【００４３】
１００  係止具例１
１１０  係止具例１の固定部
１２０  係止具例１の取付部
１３０  係止具例１の係止空間
１０１  係止具例２
１１１  係止具例２の固定部
１２１  係止具例２の取付部
１３１  係止具例２の係止空間
１０２  係止具例３
１１２  係止具例３の固定部
１２２  係止具例３の取付部
１３２  係止具例３の係止空間
１０３  係止具例４
１１３  係止具例４の固定部
１２３  係止具例４の取付部
１３３  係止具例４の係止空間
１０４  係止具例５
１１４  係止具例５の固定部
１２４  係止具例５の取付部
１３４  係止具例５の係止空間
１０９  従来の係止具
１１９  従来の係止具の土台部
１２９  従来の係止具の取付部
１３９  従来の係止具の係止空間
４  爪
５  指
６０  合成樹脂溶剤
６１  ベースジェル（合成樹脂溶剤）
６２  カラージェル（合成樹脂溶剤）
６３  トップジェル（合成樹脂溶剤）
７  粘着剤
Ｊ０  装飾品
Ｊ１  装飾部
Ｊ２  留め具
【図１】
2019180811.tif 000003
【図２】
2019180811.tif 000004
【図３】
2019180811.tif 000005
【図４】
2019180811.tif 000006
【図５】
2019180811.tif 000007
【図６】
2019180811.tif 000008
【図７】
2019180811.tif 000009
【図８】
2019180811.tif 000010
【図９】
2019180811.tif 000011
【図１０】
2019180811.tif 000012
【図１１】
2019180811.tif 000013